(57)【要約】【課題】インタロゲータとレスポンダの間でマイクロ波を利用して双方向に通信を行うトランスポンダにおいて、上記インタロゲータの送信機能及び受信機能の故障を検出する。【解決手段】書込波Ｓ１及び質問波Ｓ２を送信する送信機能（１〜４）を有すると共に、応答波Ｓ３を受信する受信機能（５〜７，１）を有するインタロゲータＱと、上記インタロゲータＱから送信される書込波Ｓ１及び質問波Ｓ２を受信し、内部の応答信号を拡散変調して応答波Ｓ３として該インタロゲータＱに返信するレスポンダＲと、から成るトランスポンダにおいて、上記インタロゲータＱに、自己の機能の故障を検出する故障検出手段（２０，２１）を備えた。これにより、上記インタロゲータＱの送信機能側及び受信機能側の動作がそれぞれ正常か否かを診断して装置の故障を検出することができる。【選択図】　図１
2004072174.tif 000002
【特許請求の範囲】
【請求項１】
書込波及び質問波を送信する送信機能と共に応答波を受信する受信機能を有する質問器と、
上記質問器から送信される書込波及び質問波を受信し、応答信号を拡散変調して応答波として該質問器に返信する応答器と、
から成るトランスポンダにおいて、
上記質問器に、自己の機能の故障を検出する故障検出手段を備えたことを特徴とするトランスポンダ。
【請求項２】
上記質問器の故障検出手段は、書込波及び質問波を送信する送信機能が正常か否かを診断する送信機能診断手段を備えて成ることを特徴とする請求項１記載のトランスポンダ。
【請求項３】
上記送信機能診断手段は、上記受信機能側に上記送信機能側の送信アンテナから外部に送信された書込波の漏れ込みを復調する復調部を備え、この復調した信号を基に送信フィードバックデータを生成するものとしたことを特徴とする請求項２記載のトランスポンダ。
【請求項４】
上記送信機能診断手段は、上記受信機能側に上記送信機能側で生成される書込信号を直接入力して復調する復調部を備え、この復調した信号を基に送信フィードバックデータを生成するものとしたことを特徴とする請求項２記載のトランスポンダ。
【請求項５】
上記質問器の故障検出手段は、応答波を受信する受信機能が正常か否かを診断する受信機能診断手段を備えて成ることを特徴とする請求項１記載のトランスポンダ。
【請求項６】
上記受信機能診断手段は、上記送信機能側に受信テスト信号を変換して生成した受信模擬データを変調する受信模擬データ変調部を備え、この変調した受信模擬データを上記受信機能側に直接出力するものとしたことを特徴とする請求項５記載のトランスポンダ。
【請求項７】
上記受信機能診断手段は、上記送信機能側に受信テスト信号を変換して生成した受信模擬データを変調する受信模擬データ変調部を備え、この変調した受信模擬データを該送信機能側の送信アンテナから外部に送信するものとしたことを特徴とする請求項５記載のトランスポンダ。
【発明の詳細な説明】
【０００１】
【発明の属する技術分野】
本発明は、質問器と応答器の間でマイクロ波を利用して双方向に通信を行うトランスポンダに関し、特に、上記質問器の送信機能及び受信機能がそれぞれ正常か否かを診断して装置の故障を検出することができるトランスポンダに関するものである。
【０００２】
【従来の技術】
近年、列車運行の安全性を確保するために列車の位置情報等を収集する装置として、マイクロ波を利用して双方向に通信を行うトランスポンダが開発されている。従来のこの種のトランスポンダは、図８に示すように、書込波Ｓ１及び質問波Ｓ２を送信すると共に応答波Ｓ３を受信する質問器としてのインタロゲータＱと、このインタロゲータＱからの書込波Ｓ１及び質問波Ｓ２を受信し、応答信号を拡散変調して応答波Ｓ３として該インタロゲータＱに返信する応答器としてのレスポンダＲとから成っている。このインタロゲータＱは、データ処理部１と、高周波制御部２と、変調部３と、送信アンテナ４と、受信アンテナ５と、復調部６と、デジタル相関器７とを備えて成り、このデータ処理部１には外部の制御装置８が接続されている。また、レスポンダＲは、第１の受信アンテナ１０と、復調部１１と、データ処理部１２と、変調部１３と、第２の受信アンテナ１４と、送信アンテナ１５とを備えて成り、このデータ処理部１２には外部の制御装置１６が接続されている。
【０００３】
そして、インタロゲータＱは、外部の制御装置８からの送信データＤ１をデータ処理部１で処理し、高周波制御部２を介して変調部３で変調した書込信号を送信アンテナ４から書込波Ｓ１として送信すると共に、該高周波制御部２で生成された高周波信号を変調せずにマイクロ波による質問波Ｓ２として送信アンテナ４から送信するようになっていた。また、このインタロゲータＱは、後述のレスポンダＲから返信される応答波Ｓ３を受信アンテナ５で受信し、応答波Ｓ３のみを復調部６で復調してデジタル相関器７で相関し、データ処理部１で受信データＤ２を生成して外部の制御装置８に出力するようになっていた。
【０００４】
一方、レスポンダＲは、上記インタロゲータＱから送信された書込波Ｓ１を第１の受信アンテナ１０で受信し、復調部１１で復調してデータ処理部１２で処理し、外部の制御装置１６に書込信号を出力するようになっていた。また、それと同時に、レスポンダＲの情報を含む応答信号をデータ処理部１２で処理して変調部１３で拡散変調し、これを第２の受信アンテナ１４で受信した質問波Ｓ２を搬送波として用いて送信アンテナ１５から応答波Ｓ３として返信するようになっていた。これにより、上記インタロゲータＱとレスポンダＲとから成るトランスポンダは、マイクロ波を利用して双方向に通信を行うようになっていた。
【０００５】
【発明が解決しようとする課題】
しかし、このような従来のトランスポンダにおいては、インタロゲータＱから送信される質問波Ｓ２の出力レベルを監視して出力異常の診断を行うようになっていたが、インタロゲータＱのデータ処理部１から外部の制御装置８に出力された受信データＤ２に異常があった場合に、それがインタロゲータＱ自体の装置故障によるものかどうかを検出することができなかった。また、インタロゲータＱの装置故障による通信異常の場合でも、その送信機能側又は受信機能側の何れが故障したかを検出することができなかった。そのため、インタロゲータＱ内の故障した部品を特定するのが困難で、正常に動作する状態に修復するのに時間がかかっていた。
【０００６】
そこで、本発明は、このような問題点に対処し、質問器と応答器の間でマイクロ波を利用して双方向に通信を行うトランスポンダにおいて、上記質問器の送信機能及び受信機能がそれぞれ正常か否かを診断して装置の故障を検出することができるトランスポンダを提供することを目的とする。
【０００７】
【課題を解決するための手段】
上記目的を達成するために、本発明によるトランスポンダは、書込波及び質問波を送信する送信機能と共に応答波を受信する受信機能を有する質問器と、上記質問器から送信される書込波及び質問波を受信し、応答信号を拡散変調して応答波として該質問器に返信する応答器と、から成るトランスポンダにおいて、上記質問器に、自己の機能の故障を検出する故障検出手段を備えたものである。
【０００８】
このような構成により、上記質問器に備えられた故障検出手段によって、該質問器の送信機能及び受信機能の故障を検出する。
【０００９】
ここで、上記質問器の故障検出手段は、書込波及び質問波を送信する送信機能が正常か否かを診断する送信機能診断手段を備えて成るものである。これにより、上記送信機能診断手段によって、質問器の送信機能が正常か否かを診断して該質問器の故障が検出される。
【００１０】
また、上記送信機能診断手段は、上記受信機能側に上記送信機能側の送信アンテナから外部に送信された書込波の漏れ込みを復調する復調部を備え、この復調した信号を基に送信フィードバックデータを生成するものである。これにより、上記復調部で、上記送信機能側の送信アンテナから外部に送信された書込波の漏れ込みを復調し、この復調した信号を基に送信フィードバックデータが生成される。
【００１１】
さらに、上記送信機能診断手段は、上記受信機能側に上記送信機能側で生成される書込信号を直接入力して復調する復調部を備え、この復調した信号を基に送信フィードバックデータを生成するものでもよい。これにより、上記復調部で、上記送信機能側で生成される書込信号を直接入力して復調し、この復調した信号を基に送信フィードバックデータが生成される。
【００１２】
また、上記質問器の故障検出手段は、応答波を受信する受信機能が正常か否かを診断する受信機能診断手段を備えて成るものである。これにより、上記受信機能診断手段によって、質問器の受信機能が正常か否かを診断して該質問器の故障が検出される。
【００１３】
さらに、上記受信機能診断手段は、上記送信機能側に受信テスト信号を変換して生成した受信模擬データを変調する受信模擬データ変調部を備え、この変調した受信模擬データを上記受信機能側に直接出力するものである。これにより、上記受信模擬データ変調部で、受信模擬データを変調し、この変調した受信模擬データが上記受信機能側に直接出力される。
【００１４】
そして、上記受信機能診断手段は、上記送信機能側に受信テスト信号を変換して生成した受信模擬データを変調する受信模擬データ変調部を備え、この変調した受信模擬データを該送信機能側の送信アンテナから外部に送信するものである。これにより、上記受信模擬データ変調部で、受信模擬データを変調し、この変調した受信模擬データが送信アンテナから外部に送信される。
【００１５】
【発明の実施の形態】
以下、本発明の実施の形態を添付図面に基づいて詳細に説明する。
図１は本発明によるトランスポンダの実施の形態を示すブロック図である。このトランスポンダは、マイクロ波を利用して双方向に通信を行う装置で、インタロゲータＱと、レスポンダＲとから成る。このインタロゲータＱは、書込波Ｓ１及び質問波Ｓ２を送信する送信機能と共に、応答波Ｓ３を受信する受信機能を有する質問器となるもので、データ処理部１と、高周波制御部２と、第１の変調部３と、送信アンテナ４と、受信アンテナ５と、第１の復調部６と、デジタル相関器７とを有し、さらに第２の復調部２０と、第２の変調部２１とを備えて成る。
【００１６】
データ処理部１は、各種信号を入力して演算処理を行うもので、例えばＣＰＵなどの演算処理装置から成り、外部の制御装置８に接続され、その制御装置８から入力した送信データＤ１を演算処理して高周波制御部２に出力するようになっている。高周波制御部２は、データ処理部１で演算処理された送信データＤ１を入力して制御するもので、高周波信号（マイクロ波）を生成して第１の変調部３に出力できるようになっている。
【００１７】
第１の変調部３は、高周波制御部２を介して出力される送信データＤ１を変調して書込信号を生成するもので、この書込信号を送信アンテナ４から書込波Ｓ３として送信すると共に、高周波制御部２で生成された高周波信号を変調せずにマイクロ波による質問波Ｓ２として該送信アンテナ４から送信するようになっている。なお、上記データ処理部１と、高周波制御部２と、第１の変調部３と、送信アンテナ４とで、書込波Ｓ１及び質問波Ｓ２を送信する送信機能側を構成している。
【００１８】
また、受信アンテナ５は、後述のレスポンダＲから返信される応答波Ｓ３を受信し得るもので、第１の復調部６に接続されている。第１の復調部６は、受信アンテナ５で受信した信号から応答波Ｓ３のみを検波して復調するもので、この復調された信号をデジタル相関器７に出力するようになっている。デジタル相関器７は、第１の復調部６で復調された信号を所定の信号と比較してそれらの変量の相関関係を求めるもので、その結果を上記データ処理部１に出力するようになっている。そして、上記データ処理部１は、デジタル相関器７から出力された信号をデータ化して受信データＤ２を生成し、この受信データＤ２を外部の制御装置８に出力するようになっている。なお、上記受信アンテナ５と、第１の復調部６と、デジタル相関器７と、データ処理部１とで、応答波Ｓ３を受信する受信機能側を構成している。
【００１９】
また、上記レスポンダＲは、上記インタロゲータＱから送信される書込波Ｓ１及び質問波Ｓ２を受信し、応答信号を拡散変調してそれを応答波Ｓ３として該インタロゲータＱに返信する応答器となるもので、従来のものと同様に、第１の受信アンテナ１０と、復調部１１と、データ処理部１２と、変調部１３と、第２の受信アンテナ１４と、送信アンテナ１５とを備えて成り、このデータ処理部１２には外部の制御装置１６が接続されている。
【００２０】
このように構成されたインタロゲータＱと、レスポンダＲとから成るトランスポンダは、高周波信号（マイクロ波）を利用して双方向に通信を行うことができる。すなわち、インタロゲータＱは、外部の制御装置８から入力した送信データＤ１をデータ処理部１で処理し、高周波制御部２を介して第１の変調部３で変調して書込信号を生成し、この書込信号を送信アンテナ４から書込波Ｓ１として外部に送信する。このときレスポンダＲは、この書込波Ｓ１を第１の受信アンテナ１０で受信し、復調部１１で復調してデータ処理部１２で演算処理し、外部の制御装置１６に出力する。これにより、インタロゲータＱは、送信データＤ１を変調した書込信号を書込波Ｓ１として送信し、該書込信号を外部の制御装置１６に書き込むようになっている。
【００２１】
また、それと同時に、インタロゲータＱは、高周波制御部２で生成された高周波信号を第１の変調部３で変調せずにマイクロ波による質問波Ｓ２として送信アンテナ４から送信する。このときレスポンダＲは、外部の制御装置１６から出力された内部データをデータ処理部１２で処理して変調部１３に出力し、該変調部１３で拡散変調して応答信号を生成し、この応答信号を第２の受信アンテナ１４で受信した質問波Ｓ２を搬送波として用いて送信アンテナ１５から応答波Ｓ３として返信する。そして、インタロゲータＱは、この応答波Ｓ３を受信アンテナ５で受信し、応答波Ｓ３のみを第１の復調部６で検波して復調し、デジタル相関器７で相関してデータ処理部１で受信データＤ２を生成し、外部の制御装置８に出力する。これにより、外部の制御装置８は、レスポンダＲからインタロゲータＱに返信される応答波Ｓ３により生成される受信データＤ２を読み込むようになっている。
【００２２】
ここで、本発明においては、図１に示すように、上記インタロゲータＱの内部に、第２の復調部２０と、第２の変調部２１とが設けられている。第２の復調部２０は、書込波Ｓ１及び質問波Ｓ２を送信する送信機能側（１〜４）の動作が正常か否かを診断する送信機能診断手段を構成するものであり、また第２の変調部２１は、応答波Ｓ３を受信する受信機能側（５〜７，１）の動作が正常か否かを診断する受信機能診断手段を構成するものである。
【００２３】
上記送信機能診断手段は、図２に示すように、上記送信機能側の送信アンテナ４から外部に送信された書込波Ｓ１の漏れ込みＳ１′を受信して復調する第２の復調部２０を備え、この復調した信号を基に送信フィードバックデータＤ４を生成するもので、該第２の復調部２０は受信アンテナ５に接続されている。これにより、上記送信アンテナ４から外部に送信された書込波Ｓ１の漏れ込みＳ１′を受信アンテナ５で受信して第２の復調部２０で復調し、この復調された信号を基にデータ処理部１で送信フィードバックデータＤ４を生成することができる。そして、データ処理部１は、この送信フィードバックデータＤ４を外部の制御装置８に出力するようになっている。
【００２４】
次に、このように構成されたインタロゲータＱの送信機能診断手段の動作について、図３を参照して説明する。図２に示す外部の制御装置８は、図３（ａ）に示すように、データ処理部１（図２参照）に送信データＤ１を常に出力すると供に、図３（ｂ）に示すように、該データ処理部１に受信テスト信号Ｄ３を所定のタイミングで出力する。これにより、データ処理部１は、図３（ｃ）に示すように、上記受信テスト信号Ｄ３の入力をトリガーとして送信模擬データを生成し、この送信模擬データを高周波制御部２を介して第１の変調部３（図２参照）に出力する。そして、第１の変調部３は、図３（ｄ）に示すように、上記送信模擬データを変調して書込信号を生成し、これを高周波信号（マイクロ波）を利用して送信アンテナ３（図２参照）から書込波Ｓ１として送信する。
【００２５】
このとき、レスポンダＲから返信される応答波Ｓ３（図１参照）の受信中、あるいは該応答波Ｓ３の受信がない場合に、上記受信アンテナ５は、図２に示すように、送信アンテナ４から送信された書込波Ｓ１の漏れ込みＳ１′を受信し、この書込波Ｓ１の漏れ込みＳ１′を、図３（ｅ）に示すように、第２の復調部２０で復調して受信データＤ２を生成する。そして、図３（ｆ）に示すように、データ処理部１（図２参照）がその復調した信号を基に送信フィードバック信号Ｄ４を生成し、それを外部の制御装置８に出力する。これにより、この外部の制御装置８は、適正な送信フィードバック信号Ｄ４が戻ってきたことにより、トランスポンダＱのデータ処理部１と、高周波制御部２と、第１の変調部３と、送信アンテナ４とを含む送信機能側の動作が正常か否かを診断して装置の故障を検出することができる。
【００２６】
図４は、本発明の第２の実施形態を示すブロック図である。この実施形態によるインタロゲータＱの送信機能診断手段は、上記送信機能側（１〜４）に上記第１の変調部３で生成される書込信号をインタロゲータＱの内部から直接入力して復調する第２の復調部２０を備え、この復調した信号を基にデータ処理部１で送信フィードバックデータＤ４を生成するものである。これにより、上記第２の復調部２０で、第１の変調部３で生成される書込信号をインタロゲータＱの内部から直接入力して復調し、この復調した信号を基にデータ処理部１で送信フィードバックデータＤ４を生成し、外部の制御装置８に出力することができる。
【００２７】
この場合、インタロゲータＱの送信機能診断手段は、図３に示すと同様に動作する。このとき、上記第１の変調部３は、送信アンテナ４から外部に書込波Ｓ１を送信せずに、書込信号をインタロゲータＱの内部から第２の復調部２０に直接入力して復調し、この復調した信号を基にデータ処理部１で生成される送信フィードバックデータＤ４を外部の制御装置８に出力することができる（図３（ｆ）参照）。これにより、上記外部の制御装置８は、インタロゲータＱの送信アンテナ４を除く送信機能側（１〜３）の動作が正常か否かを診断して装置の故障を検出することができる。
【００２８】
図５は、本発明の第３の実施形態を示すブロック図で、レスポンダＲから返信される応答波Ｓ３（図１参照）を受信するインタロゲータＱの受信機能側（５〜７，１）の動作が正常か否かを診断する受信機能診断手段を示す。この実施形態によるインタロゲータＱの受信機能診断手段は、上記送信機能側（１〜４）に受信テスト信号Ｄ３を変換して生成した受信模擬データを変調する受信模擬データ変調部となる第２の変調部２１を備え、この変調した受信模擬データを第１の復調部６に直接出力するものである。これにより、上記第２の変調部２１によって、外部の制御装置８から出力される受信テスト信号Ｄ３を変換して生成した受信模擬データを変調し、この変調した受信模擬データを上記第１の復調部６に直接出力することができる。
【００２９】
次に、このように構成されたインタロゲータＱの受信機能診断手段の動作について、図６を参照して説明する。図５に示す外部の制御装置８は、インタロゲータＱが通信を行っていない状態において、図６（ａ）に示すように、該インタロゲータＱのデータ処理部１（図５参照）に送信データＤ１を出力すると供に、図６（ｂ）に示すように、データ処理部１に受信テスト信号Ｄ３を所定のタイミングで出力する。これにより、上記データ処理部１は、図６（ｃ）に示すように、受信テスト信号Ｄ３の入力をトリガーとして出力制御を行い、図６（ｄ）に示すように、上記送信データＤ１を擬似ランダム符号（ＰＮ符号）で変化させた模擬の受信模擬データを生成し、高周波制御部２を介して第２の変調部２１（図５参照）に出力する。そして、第２の変調部２１によって、上記受信模擬データを変調して模擬の応答波信号を生成し、それをインタロゲータＱの内部から第１の復調部６に直接出力する。
【００３０】
そして、上記第１の復調部６は、上記受信模擬データを復調し、この信号をデジタル相関器７で“１”，“０”に対応したＰＮ符号で相関し、図６（ｅ）に示すように、受信データＤ２をデータ処理部１（図５参照）で生成し、これを外部の制御装置８に出力する。そして、外部の制御装置８は、上記受信データＤ２が所定の固定データと一致しているか否かを診断する。上記受信データＤ２が固定データと一致した場合には、受信アンテナ５を除く受信機能側（６，７，１）の動作が正常であると診断し、また一致しない場合には上記受信アンテナ５を除く受信機能側の動作が正常でないと診断する。これにより、上記インタロゲータＱの受信機能側の動作が正常か否かを診断して装置の故障を検出することができる。したがって、上記送信アンテナ４から外部に送信できる信号の帯域に所定の制限がある場合においても、上記受信模擬データをインタロゲータＱの内部から第１の復調部６に直接出力することにより、該インタロゲータＱの受信機能が正常に動作しているか否かを診断して装置の故障を検出することができる。
【００３１】
図７は、本発明の第４の実施形態を示すブロック図である。この実施形態による受信機能診断手段は、上記送信機能側（１〜４）に受信テスト信号Ｄ２から生成した受信模擬データを変調する受信模擬データ変調部となる第２の変調部２１を備え、この変調した受信模擬データを送信アンテナ４から外部に送信するものである。これにより、上記第２の変調部２１で、受信テスト信号Ｄ２から生成した受信模擬データを変調し、該変調した受信模擬データを送信アンテナ４から外部に送信することができる。
【００３２】
この場合、インタロゲータＱの受信機能診断手段は、図７に示すように、送信アンテナ４から送信された書込波Ｓ１の漏れ込みＳ１′を受信アンテナ５で受信して第１の復調部６で復調し、それをデジタル相関器７で相関し、図６（ｅ）に示すように、受信データＤ２を生成して外部の制御装置８に出力することができる。これにより、外部の制御装置８は、上記受信データＤ２が固定データと一致したことを診断することにより、送信アンテナ４と、第１の復調部６と、デジタル相関器７と、データ処理部１を含む受信機能側（４〜７，１）の動作が正常か否かを診断して装置の故障を検出することができる。
【００３３】
なお、以上の説明において、故障検出手段を構成するインタロゲータＱの送信機能診断手段と受信機能診断手段とがそれぞれ独立して動作するものとして説明したが、本発明はこれに限られず、これらが同時に作動するものとしてもよい。
【００３４】
【発明の効果】
本発明は以上のように構成されたので、請求項１に係る発明によれば、書込波及び質問波を送信する送信機能と共に応答波を受信する受信機能を有する質問器に備えられた故障検出手段によって、該質問器の送信機能及び受信機能がそれぞれ正常か否かを診断して装置の故障を検出することができる。したがって、トランスポンダの装置故障による通信異常があった場合に、質問器の故障した部品を容易に特定することができ、正常に動作する状態に速やかに修復することができる。
【００３５】
ここで、請求項２に係る発明によれば、上記質問器の故障検出手段は、書込波及び質問波を送信する送信機能が正常か否かを診断する送信機能診断手段を備えて成るものであることにより、該送信機能診断手段によって、質問器の送信機能が正常か否かを診断して該質問器の故障を検出することができる。
【００３６】
また、請求項３に係る発明によれば、上記送信機能診断手段は、上記受信機能側に上記送信機能側の送信アンテナから外部に送信された書込波の漏れ込みを復調する復調部を備え、この復調した信号を基に送信フィードバックデータを生成するものであることにより、該復調部で、上記送信機能側の送信アンテナから外部に送信された書込波の漏れ込みを復調し、この復調した信号を基に送信フィードバックデータを生成することができる。したがって、上記送信フィードバックデータを基に質問器の送信機能の動作が正常か否かを診断して該質問器の故障を検出することができる。
【００３７】
さらに、請求項４に係る発明によれば、上記送信機能診断手段は、上記受信機能側に上記送信機能側で生成される書込信号を直接入力して復調する復調部を備え、この復調した信号を基に送信フィードバックデータを生成するものであることにより、該復調部で、上記送信機能側で生成される書込信号を直接入力して復調し、この復調した信号を基に送信フィードバックデータを生成することができる。したがって、上記送信フィードバックデータを基に質問器の送信機能の動作が正常か否かを診断して該質問器の故障を検出することができる。
【００３８】
また、請求項５に係る発明によれば、上記質問器の故障検出手段は、応答波を受信する受信機能が正常か否かを診断する受信機能診断手段を備えて成るものであることにより、該受信機能診断手段によって、質問器の受信機能が正常か否かを診断して該質問器の故障を検出することができる。
【００３９】
さらに、請求項６に係る発明によれば、上記受信機能診断手段は、上記送信機能側に受信テスト信号を変換して生成した受信模擬データを変調する受信模擬データ変調部を備え、この変調した受信模擬データを上記受信機能側に直接出力するものであることにより、該受信模擬データ変調部で、受信模擬データを変調し、この変調した受信模擬データを上記受信機能側に直接出力することができる。したがって、送信アンテナから外部に送信できる信号の帯域に制限がある場合においても、上記受信模擬データを質問器の内部から復調部に直接出力することにより、質問器の受信機能が正常に動作しているか否かを診断して装置の故障を検出することができる。
【００４０】
そして、請求項７に係る発明によれば、上記受信機能診断手段は、上記送信機能側に受信テスト信号を変換して生成した受信模擬データを変調する受信模擬データ変調部を備え、この変調した受信模擬データを該送信機能側の送信アンテナから外部に送信するものであることにより、該受信模擬データ変調部で、受信模擬データを変調し、この変調した受信模擬データを送信アンテナから外部に送信することができる。したがって、送信アンテナから送信された書込波の漏れ込みを受信して復調し、受信模擬データを復調して受信データを生成することにより、質問器の受信機能が正常に動作しているか否かを診断して装置の故障を検出することができる。
【図面の簡単な説明】
【図１】本発明によるトランスポンダのインタロゲータ及びレスポンダの構成を示すブロック図である。
【図２】本発明の第１の実施形態を示すブロック図で、インタロゲータに設けられた送信機能診断手段を示す。
【図３】上記送信機能診断手段の動作を示すタイミングチャートである。
【図４】本発明の第２の実施形態を示すブロック図で、インタロゲータの送信機能診断手段の他の実施形態を示す。
【図５】本発明の第３の実施形態を示すブロック図で、インタロゲータに設けられた受信機能診断手段を示す。
【図６】上記受信機能診断手段の動作を示すタイミングチャートである。
【図７】本発明の第４の実施形態を示すブロック図で、インタロゲータの受信機能診断手段の他の実施形態を示す。
【図８】従来のトランスポンダを示すブロック図である。
【符号の説明】
Ｑ…インタロゲータ
Ｒ…レスポンダ
Ｓ１…書込波
Ｓ２…質問波
Ｓ３…応答波
Ｄ１…送信データ
Ｄ２…受信データ
Ｄ３…受信テスト信号
Ｄ４…送信フィードバックデータ
１…データ処理部
２…高周波制御部
３…第１の変調部
４…送信アンテナ
５…受信アンテナ
６…第２の復調部
７…デジタル相関器
８…制御装置
２０…第２の復調部
２１…第２の変調部
【図１】
2004072174.tif 000003
【図２】
2004072174.tif 000004
【図３】
2004072174.tif 000005
【図４】
2004072174.tif 000006
【図５】
2004072174.tif 000007
【図６】
2004072174.tif 000008
【図７】
2004072174.tif 000009
【図８】
2004072174.tif 000010